(57)【要約】【解決しようとする課題】本発明は、建築時には簡単に組み立てたり、取り外しができて、しかも、建築後のメンテナンス時にも使用することができるなど、何度でも利用をすることができる足場つなぎ用金具、及び該足場つなぎ用金具を有するパネルを提供する。【課題を解決する手段】足場つなぎ用金具１００は長ナット１２を固着した打ち込み金具１１と、スライドワッシャー１４の中心からやや外よりに穴を穿設して、ここにカラー１６を挿着して、上下にワッシャー１３を入れて、打ち込み金具１１の長ナット１２にボルト１７で回動自在に軸着する。足場つなぎ用金具１００のスライドワッシャー１４に固着されているボルト１５にワッシャー１８と長ナット１９を着設する。この長ナット１９に足場用柱に連結された連結ボルトを螺着することで足場用柱を固定することができる。打ち込み金具を外壁面パネルに埋め込と、足場つなぎ用金具１００を装着した外壁面パネルが提供される。【選択図】図１
2005314881.tif 000002
【特許請求の範囲】
【請求項１】
長ナットを固着した打ち込み金具と、該打ち込み金具の長ナットにボルトで回動自在に軸着されたスライドワッシャーと、該スライドワッシャーに固着されたボルトにワッシャーと長ナットを着設し、該ボルトに着設された長ナットを介して足場連結ボルトと連結することを特徴とする足場つなぎ用金具。
【請求項２】
スライドワッシャーのボルトに装着するワッシャーに弾力性のある緩衝部材を貼着したことを特徴とする請求項１に記載の足場つなぎ用金具。
【請求項３】
スライドワッシャーのボルトに装着するワッシャーが角形ワッシャーであることを特徴とする請求項１に記載の足場つなぎ用金具。
【請求項４】
請求項１から請求項３のいずれかに記載の足場つなぎ用金具の打ち込み金具が埋設され、該埋設された打ち込み金具にスライドワッシャーが軸着されていることを特徴とする足場つなぎ用金具を有する外壁用パネル。
【請求項５】
足場つなぎ用金具を埋設した外壁用パネルがプレキャストコンクリートパネルであることを特徴とする請求項４に記載の足場つなぎ用金具を有する外壁用パネル。
【発明の詳細な説明】
【技術分野】
【０００１】
本発明は建築工事において高所における作業を行うための足場を組むために使用する足場つなぎ用金具、及び該金具を有する外壁用パネルに関する。
【背景技術】
【０００２】
鉄筋建造物を建築、あるいは建築済みの建造物の塗装、補修等のメンテナンスを行うに当たって、建築物の外周面に足場を組んで工事関係者が建物の外周面の工事を行いやすくする必要がある。以前は丸太を使用して足場が組まれていたが、丸太は傷ついたり、腐朽したりして頻回使用するには危険が伴っていた。そこで最近、鋼鉄製の柱と踏み板が用いられて、耐久性のある足場が使用されるようになってきた。このように耐久性のある足場の出現によって、建物に取り付けることができる足場固定用金物が考案されている。例えば、特許文献１の請求項では、「建築物の鉄骨躯体の定規アングルに取り付けられる外壁用パネルの水平目地部において、前記定規アングルに固着され、足場取付用の連結具を取り付けるための足場固定用金物であって、本体とアタッチメントとからなり、本体は水平部と第１の長ナットからなり、水平部の基部は前記定規アングルの垂直面に固着されるようになっていて、水平部の先端に第１の長ナットから水平部の上面と同水準に上面を位置させた状態で固着され、第１の長ナットは外径が外壁用パネルの水平目地部の幅とほぼ等しいか、やや小さく、アタッチメントは先端ネジ部が第１の長ナットに締結可能で、さらにアタッチメントには前記連結具の先端ネジ部が締結可能な第２の長ナットを固着したことを特徴とする足場固定用金物。」が開示されている。特許文献１の足場固定用金物はパネルの埋設アンカーにボルトで取り付ける手間を必要とし、作業が終了すれば取り外す手間が必要である。
【０００３】
また、特許文献２では足場内蔵プレキャスト部材及びその使用方法として、「プレキャスト部材と、このプレキャスト部材に、外側に向かって水平方向に突出可能に取り付けられた、足場を備えることを特徴とする足場内蔵プレキャスト部材。」が開示されている。特許文献２はプレキャスト柱部材の上部に、足場の上縁部を回動自在に固定している。この足場を現場で開いて、支持部材を取り付けることによって足場を組み立てるものである。足場として利用し終わった後は、下側に閉じて、プレキャスト柱部材の面との間に固定材を流し込んで固めてしまうので、後で使用することができない欠点がある。
【０００４】
足場を組み立てるのは建築時のみならず、建築後のメンテナンス時にも必要とされることであり、簡単に取り外しができて、しかも、再使用をすることができる足場の連結具の出現が望まれている。
【特許文献１】特開２０００−２７４２９号公報
【特許文献２】特開２０００−２８２６２０号公報
【発明の開示】
【発明が解決しようとする課題】
【０００５】
本発明は、建築時には簡単に組み立てたり、取り外しができて、しかも、建築後のメンテナンス時にも使用することができるなど、何度でも利用をすることができる足場つなぎ用金具、及び該足場つなぎ用金具を有するパネルを提供するものである。
【課題を解決するための手段】
【０００６】
本発明者は、建築現場における足場の組立を容易にするために鋭意研究を重ねた結果、建築時のみならず、建築後のメンテナンス時にも利用することができる上に、足場を簡単に取り外しができて、しかも、美しく収納することができる足場つなぎ用の金具とその足場つなぎ用金具を有するパネルを提供することに成功した。
【０００７】
本発明の第１の特徴は、長ナットを固着した打ち込み金具と、該打ち込み金具の長ナットにボルトで回動自在に軸着されたスライドワッシャーと、該スライドワッシャーに固着されたボルトにワッシャーと長ナットを着設し、該ボルトに着設された長ナットを介して足場連結ボルトと連結することができることを特徴とする足場つなぎ用金具である。ボルトに着設された長ナットを介して足場連結ボルトと連結することができるので、足場の取り付け、取り外しが簡単にできるようになる。
【０００８】
本発明の第２の特徴は、スライドワッシャーのボルトに着設するワッシャーに弾力性のある緩衝部材を貼着したことを特徴とする請求項１に記載の足場つなぎ用金具である。足場つなぎ用金具のワッシャーが壁面に直接当たるのを防ぎ、壁面に傷を付けない。
【０００９】
本発明の第３の特徴は、スライドワッシャーのボルトに装着するワッシャーが角形ワッシャーであることを特徴とする請求項１に記載の足場つなぎ用金具である。角形のワッシャーにすることによって、足場を組んだ際に、壁面にかかる負荷を広く分散させることができる。
【００１０】
本発明の第４の特徴は、請求項１から請求項３のいずれかに記載の足場つなぎ用金具の打ち込み金具が埋設され、埋設された打ち込み金具にスライドワッシャーが軸着されていることを特徴とする足場つなぎ用金具を有する外壁用パネルである。ＰＣパネル等の製造時に足場つなぎ用金具の打ち込み金具を埋設しておくことによって、現場で壁面を組立ながら、同時に足場も組み立てていくことができる。
【００１１】
本発明の第５の特徴は、足場つなぎ用金具を埋設した外壁用パネルがプレキャストコンクリートパネルであることを特徴とする請求項４に記載の足場つなぎ用金具を有するプレキャストコンクリートパネルである。プレキャストコンクリート（ＰＣ）パネル等の製造時に足場つなぎ用金具の打ち込み金具を埋設して、スライドワッシャーを軸着しておくことによって、足場つなぎ用金具を使用しないときはスライドワッシャーを回転させて、壁の間に収納することができる。
【発明の効果】
【００１２】
本発明の足場つなぎ用金具は、ボルトに着設された長ナットを介して足場連結ボルトと連結することができるので、足場の取り付け、取り外しが簡単にできるようになる。本発明の足場つなぎ用金具は、ＰＣパネル等の製造時に足場つなぎ用金具の打ち込み金具を埋設しておくことによって、現場で壁面を組立ながら、同時に足場も組み立てていくことができる。さらに、足場つなぎ用金具を使用しないときはスライドワッシャーを回転させて、パネルの間に収納することができる。
【発明を実施するための最良の形態】
【００１３】
以下に図面を用いて本発明の実施の形態を詳細に説明するが、本発明は要旨に含まれる範囲内において以下の実施例に限定されるものではない。
【００１４】
本発明の足場つなぎ用金具１００の構造は、図１の分解斜視図を用いて説明する。足場つなぎ用金具１００は長ナット１２を固着した打ち込み金具１１、スライドワッシャー１４の中心からやや外よりに穴を穿設して、ここにカラー１６を挿着して、上下にワッシャー１３を入れて、打ち込み金具１１の長ナット１２にボルト１７で回動自在に軸着する。長ナット１２にボルト１７で軸着する場合にスライドワッシャー１４の上下に入れるワッシャー１３は図１では２枚使用しているが、これが上下１枚ずつであっても良い。足場つなぎ用金具１００のスライドワッシャー１４に固着されているボルト１５にワッシャー１８と長ナット１９を着設する。この長ナット１９に足場用柱に連結された連結ボルトを螺着することで足場用柱を固定することができる。
【００１５】
足場つなぎ用金具１００の打ち込み金具１１は厚さ６ｍｍ、横５３ｍｍ、縦６０ｍｍの鋼板に１１ｍｍのネジ孔を有する３０ｍｍの長ナットを固着した。スライドワッシャー１４は厚さ６ｍｍ、横３６ｍｍ、縦５４ｍｍの鋼板の中心より外側に１７ｍｍの孔を穿設した。穿設した孔に内径１３ｍｍ、高さ８ｍｍのカラーを装着した。スライドワッシャー１４の孔の他方側に、太さ１１ｍｍ、長さ６０ｍｍの頭なしボルト１５を固着した。スライドワッシャー１４は上からボルト１７で、打ち込み金具１１の長ナット１２に回動自在に軸着した。
【００１６】
スライドワッシャー１４の他方端に固着したボルト１５に着設するワッシャー１８は図２に示すように、横９０ｍｍ、縦８８ｍｍの角形ワッシャーを使用し、パネルの壁面に当接する側に弾力性のある緩衝部材として、横２０ｍｍ、縦８０ｍｍの合成ゴムを貼着した。この弾力性のある緩衝部材は図２に示すように角形のみならず、円形の弾力性のある緩衝部材を貼着しても良い。スライドワッシャー１４の打ち込み金具１１に軸着した他方端に固着したボルト１５に螺着するためのナットは、１１ｍｍ径を有する長さが５０ｍｍの長ナットを螺着した。
【００１７】
図３はパネル２２に本発明の足場つなぎ用金具１００の打ち込み金具１１を埋設した状態を示す。足場をつなぐときはスライドワッシャー１４ａに示すように打ち込み金具１１のスライドワッシャー１４をパネルの壁面に対して直角になるように回動させて、ボルト１５をパネル２２の壁面より外に出して使用する。不使用時はスライドワッシャー１４ｂに示すようにパネルの壁面に平行になるようにして収納する。このようにスライドワッシャー１４をパネルとパネルの間に収納して、パネルとパネルの隙間に弾力性のある合成ゴム等で目地を詰めておくことにより、メンテナンスの場合は、この合成ゴム等の詰め物を取りはずすことによって、簡単に足場用金具１００のスライドワッシャー１４を引き出して使用することができる。
【００１８】
足場つなぎ用金具１００の打ち込み金具１１を埋設する外壁用パネルは、材質、構造に関係なく足場つなぎ用金具１００の打ち込み金具１１を埋設できるものであれば何れでも良い。例えば、プレキャストコンクリート（ＰＣ）パネル、ＡＬＣパネル、押出成形セメント板等が例示できる。また、外壁用パネルは、特に、壁に限定されるものではなく、柱材等にも本発明の打ち込み金具を埋設することができる。外壁用パネルに埋設する打ち込み金具の間隔、数は足場の柱の数によって、既定の足場の柱の間隔、数に合わせて埋設すれば、既定の足場が使用し得る。また、パネルとパネルの間を詰める目地は、弾力性のある合成ゴムが望ましく、長期間外気に晒されることから耐候性のある合成ゴム、合成スポンジ等が望ましい。
【００１９】
図４はパネル２２に埋め込んだ足場つなぎ用金具１００の打ち込み金具１１を引き出して、角形ワッシャー１８と長ナット１９を着設した状態を示している。足場つなぎ用金具１００の打ち込み金具１１を埋設したパネル２２を利用して壁面を積み上げていくと、パネル２２の高さ部分だけ足場を連結することができる。
【００２０】
図５は、パネル２２に埋め込んだ足場つなぎ用金具１００の打ち込み金具１１を引き出して、角形ワッシャー１８と長ナット１９を着設した状態を側面から示すものである。このように壁面に当接するワッシャー１８には、壁面に当接する面に緩衝部材として弾力性のある部材を貼着することが望ましい。ここで使用するワッシャー１８は角形に限定されず丸型でも良いが、壁面に傷を付けない大きさのものを用いることが望ましい。
【００２１】
図６は、足場つなぎ用金具１００の打ち込み金具１１を埋め込んだパネル２２に、足場用柱２４に連結されている連結ボルト２３を連結する方法を示している。パネル２２に埋め込んだ打ち込み金具１１に軸着されているスライドワッシャー１４に固着されたボルト１５に角形ワッシャー１８と長ナット１９を装着して、この長ナット１９に足場用柱２４に連結されている連結ボルト２３を螺着することによって、足場用柱２４が安定に保持される。足場を取り除くときは、足場用柱２４に連結されている連結ボルト２３を長ナット１９から外せば、簡単に取り外すことができる。その後、スライドワッシャー１４をパネル２２内に回し入れて目地２５をすれば目立つこがなく、再使用が可能である。
【図面の簡単な説明】
【００２２】
【図１】図１は、足場つなぎ用金具を分解した斜視図を示す。
【図２】図２は、ワッシャーに緩衝材を貼着した斜視図を示す。
【図３】図３は、足場つなぎ用金具の打ち込み金具を埋設したパネルの斜視図を示す。
【図４】図４は、パネルに足場つなぎ用金具の打ち込み金具を埋設し、打ち込み金具にワッシャーと長ナットを着設した状態の斜視図を示す。
【図５】図５は、パネルに足場つなぎ用金具の打ち込み金具を埋設し、打ち込み金具にワッシャーと長ナットを着設した状態の横断面図を示す。
【図６】図６は、パネルに足場つなぎ用金具の打ち込み金具を埋設し、打ち込み金具に着設した長ナットに足場の連結ボルトを接続する状態の斜視図を示す。
【符号の説明】
【００２３】
１００：足場つなぎ用金具
２００：足場つなぎ用金具を埋設した外壁用パネル
１１：打ち込み金具
１２：長ナット
１３：ワッシャー
１４：スライドワッシャー
１５：ボルト
１６：カラー
１７：ボルト
１８：ワッシャー
１９：長ナット
２１：緩衝部材
２２：パネル
２３：連結ボルト
２４：足場用柱
２５：目地
【図１】
2005314881.tif 000003
【図２】
2005314881.tif 000004
【図３】
2005314881.tif 000005
【図４】
2005314881.tif 000006
【図５】
2005314881.tif 000007
【図６】
2005314881.tif 000008